(57)【要約】      （修正有）【課題】操作し易くしかも動き過ぎや戻り難さによる不具合を解消することができる南京玉すだれを提供する。【解決手段】隣接する竹ひご２との相対向面の中間部にストッパ溝４を凹設形成すると共に、ストッパ溝の端部４ａに係合させて結糸３により隣接する竹ひご相互を結合する。竹ひごの相互間には、間隔ｓが形成されるようにして、結糸によって緩く結合されており、竹ひごが相互にスライドし易くなっている。【選択図】図５
0003188985.tif 000002
【実用新案登録請求の範囲】
【請求項１】
隣接する竹ひご相互を結糸で結合して、多数の竹ひごを並列に並べてすだれ状に形成してなる南京玉すだれにおいて、
隣接する竹ひごとの相対向面の中間部には、ストッパ溝が凹設形成されている、
ことを特徴とする南京玉すだれ。
【請求項２】
ストッパ溝の端部の近傍の竹ひごには、該ストッパ溝に直交する方向に結糸が挿通可能な糸孔が穿設されている、
ことを特徴とする請求項１記載の南京玉すだれ。
【請求項３】
ストッパ溝は、竹ひごの中間部の２ヶ所に設けられている、
ことを特徴とする請求項１または請求項２に記載の南京玉すだれ。
【請求項４】
上記糸孔を挿通して結糸が、上記ストッパ溝の端部を周回係合して隣接する竹ひご相互を結合してなる、
ことを特徴とする請求項１〜請求項３の何れかに記載の南京玉すだれ。
【請求項５】
隣接する竹ひごの相互間には、竹ひご相互がスライド可能に間隔が形成されている、
ことを特徴とする請求項１〜請求項４の何れかに記載の南京玉すだれ。
【考案の詳細な説明】
【技術分野】
【０００１】  本考案は、操作し易くしかも動き過ぎや戻り難さによる不具合を解消することができる南京玉すだれに関する。
【背景技術】
【０００２】  従来、南京玉すだれｎは、図６に示すように、３６本又は５６本等の多数の竹ひごを相互に並列に結糸ｔで結合してすだれ状に形成していた。この多数の竹ひごｂは、図７に示すように、相互にスライドすることにより変形可能に、相互間に隙間ｃを形成して結合されている。【０００３】  これら竹ひごのうち、中央の４本だけ、特に結糸を緩く結んで、中折れ可能に、大きく変化するように形成したものもある。
【考案の概要】
【考案が解決しようとする課題】
【０００４】  このような従来の南京玉すだれｎにあっては、竹ひごｂ相互をスライドさせるときに、動き過ぎてしまい、元の状態に戻すのが困難となり、演技がうまくいかず、思った形にできないという問題点があった。また、竹ひごｂの相互が順番にスライドせずに、目的の形状に変化させることができず、演技が失敗に終ってしまうという問題点があった。
【考案を解決するための手段】
【０００５】  本考案は、上記問題点の解決を図ったものであり、竹ひごの中間部の隣接する竹ひご相互の相対向面にストッパ溝を形成することで、竹ひご相互の動きを抑制して、問題点を解消したものである。
【考案の効果】
【０００６】  本考案によれば、次のような効果がある。
（１）隣接する竹ひご相互がスライドしたとき、竹ひご相互を結合している結糸の輪部が    ストッパ溝の端部に係止される為、竹ひご相互の動きが抑制され、動き過ぎが防止さ    れる。
（２）竹ひご相互間の間隔が、ストッパ溝によって拡がって大となる為、竹ひご相互間の    動きがスムースになり、変形し易くなると共に、変形後の戻りも容易となる。
（３）竹ひご相互間の動きが円滑となり、しかも行き過ぎた動きが抑制されると共に、戻    りも円滑となるので、竹ひごのスライド具合や行き過ぎや戻り具合を気にすることな    く操作できるので、演技に集中することで、すばらしい演技をすることができる。
【図面の簡単な説明】
【０００７】
【図１】本考案の南京玉すだれに用いる竹ひごの正面図
【図２】同背面図
【図３】同結合状態を示す横断面図
【図４】同スライドしたときの結合状態を示す横断面図
【図５】同スライドした状態を示す一部斜視図
【図６】従来例の南京玉すだれの斜視図
【図７】同スライドした状態の斜視図
【考案を実施するための形態】
【０００８】  以下、本考案の実施の形態を図１〜図５に基づいて説明する。
【０００９】  本考案の南京玉すだれ１の一実施例は、図１〜図５に示すように、多数の竹ひご２と、これら多数の竹ひご２の相互間に間隔ｓを有して結合する多数の結糸３とからなる。
【００１０】  これら多数の竹ひご２は、図１、図２に示すように、中間部にストッパ溝４が設けられている。
【００１１】  このストッパ溝４は、図５に示すように、本実施例においては、竹ひご２の中間部に略均等に２ヶ所設けられている。
【００１２】  該ストッパ溝４は、図５に示すように、竹ひご２の相対向面に平行に相互の間隔ｓが広がるように凹設形成されている。
【００１３】  上記竹ひご２の２ヶ所のストッパ溝４は、図５に示すように、相互に正反対の面に設けられている。
【００１４】  また、このストッパ溝４の両端の近傍の竹ひご２には、図３〜図５に示すように前記結糸３が挿入される糸孔５が、ストッパ溝４に直交する方向に一本の竹ひご２につき２ヶ所穿設されている。
【００１５】  上記結糸３は、図３〜図５に示すように、この糸孔５に挿通され、上記ストッパ溝４の端部４ａに係合するように竹ひご２の横断面の外周を巻回して竹ひご２の背面でほどけないように結んで結合されている。
【００１６】  従って、結糸３は、結合部３ｂが南京玉すだれ１の背面側となり、正面からは結合部３ｂは見えず、輪部３ａが正面から見えるようになっている。
【００１７】  この際、図５に示すように、竹ひご２の相互間には、間隔ｓが形成されるようにして、結糸３によって緩く結合されており、竹ひご２が相互にスライドし易くなっており、またスライド移動させた後、元の位置に戻すのも容易となっている。
【００１８】  この竹ひご２を相互にスライドさせると、図４、図５に示すように、ストッパ溝４の端部４ａに結糸３の輪部３ａが係合し、緩くむすばれている結糸３が緊張して、この係合によって竹ひご２のスライドが抑制され、動き過ぎが防止され、動きが抑止される。
【００１９】  また、この竹ひご２を逆にスライドすると、元の位置のところで、隣接する竹ひご２の結糸３が、相互に係合すると共に、ストッパ溝端部４ａに係合する為、動き過ぎが抑制され、元の矩形のすだれ状態に戻すことができる。
【００２０】  このような竹ひご２の動きによって、南京玉すだれ１を操作すると、竹ひご２の相互が動き易く円滑にスライドし、結糸３とストッパ溝４の端部の係合によって停止して、目的の形状とすることができ、演技がし易くなる。
【００２１】  また、南京玉すだれ１を元の形状に戻そうと操作すると、竹ひご２の相互が滑らかにスライドして、結糸３が、相互に係合されると共に、ストッパ溝端部４ａに係合するところで停止し、容易に元の形状に戻る。
【００２２】  次に、本考案の使用方法について詳述する。
【００２３】  まず、矩形のすだれ状態にある南京玉すだれ１を持ち、所定の形状に変形すべく、竹ひご２の相互をスライドさせる。
【００２４】  この際、竹ひご２の相互は、順次円滑にスライドしていき、図４、図５に示すように、ストッパ溝４の端部４ａに結糸３の輪部３ａが係合したところで、緩く結ばれている結糸３が緊張して、竹ひご２の相互の動きが抑制され、その動き過ぎが防止され、竹ひご２の相互の動きが抑止されるので、南京玉すだれ１を所定の形状にとどめることができる。
【００２５】  次に、所定の形状に変形された南京玉すだれ１を元の状態に戻す場合は、上記と逆方向に向って、変形した各竹ひご２を元の方向に順次スライドさせ、上記ストッパ溝４の端部４ａと結糸３の輪部３ａの係合を解放すると共に、さらにスライドさせて該結糸３が相互の輪部３ａ及びストッパ溝端部４ａに係合したところで動きが抑止され、元の状態に戻って、矩形のすだれ状態の形状になる。
【００２６】  このようにして、竹ひご２をスライドさせることにより、種々の形状に変化させることができ、自ら形状を決めて変化させる他、リクエストに応えてその形状に変化させ、さらに元の状態に容易に戻すことができる。
【００２７】  本考案は、上記実施例の形状に限定されるものでなく、竹ひご２の相互の動きを円滑にし、竹ひご２の動き過ぎや戻り難さを解消することができるものならば、ストッパ溝４は竹ひご２の中間部に１ヶ所、または３ヶ所以上とすることができるのは勿論である。
【００２８】  また、本考案は、上記竹ひご２の断面形状が上記実施例の円形のものに限られるものでなく、楕円形や多角形その他のものとすることができるのは勿論である。
【００２９】  さらに、本考案は、上記ストッパ溝４の数に応じて、糸孔５と結糸３の数を増減することができる。
【符号の説明】
【００３０】１            南京玉すだれ
２            竹ひご
３            結糸
４            ストッパ溝
５            糸孔
３ａ          輪部
３ｂ          結合部
４ａ          端部
ｓ            間隔
ｃ            隙間
ｂ            竹ひご
ｎ            南京玉すだれ
ｔ            結糸
【図１】
0003188985.tif 000003
【図２】
0003188985.tif 000004
【図３】
0003188985.tif 000005
【図５】
0003188985.tif 000006
【図４】
0003188985.tif 000007
【図６】
0003188985.tif 000008
【図７】
0003188985.tif 000009